(57)【要約】【目的】挿入部の先端に開口する管路に流路曲折ノズルを固定して設ける内視鏡において、管路のブラシ洗浄が可能な内視鏡の先端部構造を得る。【構成】管路の開口端に固定する流路曲折ノズルを、管路に固定する固定筒状部材と、この固定筒状部材に開閉可能に枢着した蓋部材とからなる開閉式とすることで、困難な脱着作業がなく、脱落や紛失のおそれがなく、しかも管路のブラシ洗浄を可能とした。【選択図】　図３
2004041427.tif 000002
【特許請求の範囲】
【請求項１】
内視鏡の挿入部内に管路を挿通し、該管路の先端を該挿入部先端に開口させ、この管路の開口端に、流路を曲折する流路曲折ノズルを固定して設けた内視鏡の先端部構造において、
上記流路曲折ノズルを、上記管路の開口端に固定され、挿入部先端面の特定方向に向けた横穴を有する固定筒状部材と、この固定筒状部材に枢着され、該固定筒状部材の端面を開閉する蓋部材とからなる開閉式流路曲折ノズルから構成し、
かつ、この固定筒状部材と蓋部材との間に、該蓋部材を閉じた状態で係止する係止機構を設けたことを特徴とする内視鏡の先端部構造。
【請求項２】
請求項１記載の内視鏡の先端部構造において、内視鏡挿入部内の管路は、送気チューブと送水チューブであり、上記開閉式流路曲折ノズルはこの送気チューブと送水チューブ用に一対が備えられている内視鏡の先端部構造。
【請求項３】
請求項１または２記載の内視鏡の先端部構造において、挿入部先端には対物レンズが配置されており、上記送気チューブと送水チューブにそれぞれ被着される開閉式流路曲折ノズルの固定筒状部の横穴は、該対物レンズに向いている内視鏡の先端部構造。
【請求項４】
請求項３記載の内視鏡の先端部構造において、上記横穴はその端面が開放されており、この開放端面を蓋体の内面が閉塞する内視鏡の先端部構造。
【請求項５】
請求項４記載の内視鏡の先端部構造において、蓋体の内面には、横穴通路形成凹部が形成されている内視鏡の先端部構造。
【発明の詳細な説明】
【０００１】
【技術分野】
本発明は、内視鏡の先端部構造に関する。
【０００２】
【従来技術およびその問題点】
内視鏡の挿入部には、各種の管路が挿通されている。このうち、例えば対物レンズ表面の洗浄を目的とする送気チャンネルや送水チャンネルの先端は、挿入部先端に開口していて、その開口端に、流路を対物レンズ側に向けて曲折する流路曲折ノズルが設けられている。この流路曲折ノズルは、管路のブラシ洗浄を可能とした着脱が可能な着脱式と、着脱が不能な固定式とが知られているが、送気チャンネルや送水チャンネルの管路内径は１．０ｍｍ程度と非常に細径であるため、前者は、小さい流路曲折ノズルの着脱が困難であるばかりか外したときに紛失しやすい。また、後者は、管路のブラシ洗浄ができないという問題があった。
【０００３】
固定式でもブラシ洗浄を可能にするため、流路曲折ノズルの天井部（直線状の管路の延長部分）に貫通穴を設け、この貫通穴に栓体を着脱可能としたものが知られているが、栓体は一層小さく、脱着作業が困難でかつ脱落（紛失）の危険性が高い。
【０００４】
【発明の目的】
本発明は、挿入部の先端に開口する管路に流路曲折ノズルを固定して設ける内視鏡であって、管路のブラシ洗浄が可能な内視鏡の先端部構造を得ることを目的とする。
【０００５】
【発明の概要】
本発明は、管路の開口端に固定する流路曲折ノズルを開閉式とすれば、困難な脱着作業がなく、脱落や紛失のおそれがなく、しかも管路のブラシ洗浄が可能になるという着眼に基づいてなされたものである。
【０００６】
すなわち、本発明は、内視鏡の挿入部内に管路を挿通し、該管路の先端を該挿入部先端に開口させ、この管路の開口端に、流路を曲折する流路曲折ノズルを固定して設けた内視鏡の先端部構造において、流路曲折ノズルを、管路の開口端に固定され、挿入部先端面の特定方向に向けた横穴を有する固定筒状部材と、この固定筒状部材に枢着され、該固定筒状部材の端面を開閉する蓋部材とからなる開閉式流路曲折ノズルから構成し、かつ、この固定筒状部材と蓋部材との間に、該蓋部材を閉じた状態で係止する係止機構を設けたことを特徴としている。
【０００７】
本発明を適用する内視鏡挿入部内の管路は、例えば、送気チューブと送水チューブである。送気チューブと送水チューブが独立している場合には、開閉式流路曲折ノズルを両チューブ用に一対設け、一つのチューブで兼用されている場合には、一つを設ければよい。この送気チューブと送水チューブに被着される開閉式流路曲折ノズルは、挿入部先端に配置した対物レンズに向けて流路を曲折する。
開閉式流路曲折ノズルは例えばステンレス等の金属あるいは硬質プラスチックから構成することができる。
【０００８】
固定筒状部材の横穴は、その端面を開放し、この開放端面を蓋体の内面で閉塞する構成とすれば、挿入部先端からの突出長さを小さくすることができる。蓋体の内面には、横穴通路形成凹部を形成することが望ましい。
【０００９】
【発明の実施形態】
図６は、内視鏡１０の全体構成の一例を示すもので、体腔内に挿入される挿入部１１とその基部側に接続された操作部１２を有している。挿入部１１は、先端側から順に先端部１３、湾曲部１４及び可撓管部１５を有しており、さらに可撓管部１５が連結部１６を介して操作部１２に接続している。操作部１２からはユニバーサルチューブ１７が延設されており、該ユニバーサルチューブ１７の末端に設けたコネクタ部１８は、内視鏡本体とは別体の図示しないプロセッサに着脱可能となっている。
【００１０】
先端部１３の端面には、図１、図２に示すように、対物レンズ２１、一対の配光レンズ２２、処置具挿通チャンネル出口２３、送気チューブ２４の出口開口２４ａ、送水チューブ２５の出口開口２５ａ、及び副送水口２６が配置されている。処置具挿通チャンネル出口２３は、操作部１２の処置具挿入口２０に連通している。送気チューブ２４は送気源に接続されており、操作部１２の送気ボタン２７の操作により空気を噴出する。送水チューブ２５は送水源に接続されており、操作部１２の送水ボタン２８の操作により水を噴出する。副送水口２６は、送水チューブ２５による送水とは別に、先端部１３から観察対象へ向けて液体を送出する送出口であり、操作部１２の副送水注入口２９から洗浄液や染色液が送出される。
【００１１】
対物レンズ２１は、観察物体の像を先端部１３内のＣＣＤ１９上に結像させる。ＣＣＤ１９による像信号は、信号伝送ケーブルを介してプロセッサに送られ、ＴＶモニタに表示される。配光レンズ２２は、ライトガイドファイバを介してプロセッサの光源に接続されている。
【００１２】
本実施形態の特徴は、出口開口２４ａに装着され送気チューブ２４の流路を対物レンズ２１方向に曲げる流路曲折ノズル３４と、出口開口２５ａに装着され送水チューブ２５の流路を対物レンズ２１方向に曲げる流路曲折ノズル３４とを開閉式にした点にある。２つの開閉式流路曲折ノズル３４は実質的に同一形状であり、図３ないし図５にその詳細形状を示している。
【００１３】
この開閉式流路曲折ノズル３４は、出口開口２４ａに挿入固定される固定筒状部３４ａと、この固定筒状部３４ａの外側端部一側に、軸３４ｂで枢着した蓋部材３４ｃとからなっている。固定筒状部３４ａは、接着剤により、出口開口２４ａ（２５ａ）に固定されるものであり、その先端部１３からの突出端部に、対物レンズ２１方向に向いた横穴３４ｄが形成されている。この横穴３４ｄは軸３４ｂの反対側に位置しており、その端面が開放されている。そして、軸３４ｂと横穴３４ｄとを結ぶ線分に関して対称位置に、蓋部材３４ｃを閉位置において固定筒状部３４ａに係止する係止機構が備えられている。
【００１４】
この係止機構は、蓋部材３４ｃに形成したフック３４ｆと、蓋部材３４ｃに形成した係止凹部３４ｇとからなっており、蓋部材３４ｃには、左右のフック３４ｆの間に位置させて、横穴３４ｄとともに曲折流路を構成する横穴通路形成凹部３４ｈが形成されている。この横穴通路形成凹部３４ｈの平面形状は、図１に表れている。フック３４ｆと係止凹部３４ｇの係合強度は、送気チューブ２４に供給される空気圧あるいは送水チューブ２５に供給される水圧では、蓋部材３４ｃが開くことがなく、横穴通路形成凹部３４ｈに治具を引っかけて蓋部材３４ｃを開き方向に回動させるときには開くように定める。
【００１５】
上記構成の本内視鏡１０は、通常は、２つの開閉式流路曲折ノズル３４の蓋部材３４ｃを閉じ、フック３４ｆと係止凹部３４ｇにより閉位置に係止して用いる。この状態において内視鏡観察時に対物レンズ２１の表面に汚れが発生したときには、送気ボタン２７を操作すれば、送気チューブ２４からの空気は開閉式流路曲折ノズル３４の横穴３４ｄと横穴通路形成凹部３４ｈとで曲げられて対物レンズ２１方向に噴出され、送水ボタン２８を操作すれば、送水チューブ２５から水は開閉式流路曲折ノズル３４で同様に曲げられて対物レンズ２１方向に噴出される。よって対物レンズ２１表面の汚れを除去することができる。
【００１６】
一方、内視鏡の非使用状態において、送気チューブ２４と送水チューブ２５を洗浄するときには、横穴通路形成凹部３４ｈに治具（鈎）を引っかけて蓋部材３４ｃを開き方向に引く。すると、フック３４ｆと係止凹部３４ｇとの係合が外れて図３に鎖線で示すように開くことができる。従って、送気チューブ２４と送水チューブ２５にブラシを挿通し、その先端部からブラシを突出させて洗浄することができる。
【００１７】
以上の実施形態は、送気チューブ２４と送水チューブ２５を独立させるタイプの内視鏡に本発明を適用したものであるが、送気チューブ２４と送水チューブ２５を単一の流路曲折ノズルに連通させる送気送水兼用タイプにも本発明は同様に適用可能である。
【００１８】
【発明の効果】
以上のように本発明によれば、挿入部の先端に開口する管路に流路曲折ノズルを固定して設ける内視鏡であって、管路のブラシ洗浄が可能な先端部構造を得ることができる。
【図面の簡単な説明】
【図１】本発明による内視鏡の先端部構造の一実施形態を示す、内視鏡先端部の正面図である。
【図２】図１のＩＩ‐ＩＩ線に沿う断面を上下位置を異ならせて描いた断面図である。
【図３】本発明による内視鏡の先端部構造に用いる開閉式流路曲折ノズルの単体形状を示す、一部を断面とした側面図である。
【図４】図３のＩＶ‐ＩＶ線に沿う断面図である。
【図５】図３のＶ‐Ｖ線に沿う断面図である。
【図６】内視鏡の全体を示す図である。
【符号の説明】
１０　内視鏡
１１　挿入部
１２　操作部
１３　先端部
２１　対物レンズ
２２　配光レンズ
２３　処置具挿通チャンネル出口
２４　送気チューブ
２５　送水チューブ
２４ａ　２５ａ　出口開口
２７　送気ボタン
２８　送水ボタン
３４　開閉式流路曲折ノズル
３４ａ　固定筒状部
３４ｂ　軸
３４ｃ　蓋部材
３４ｄ　横穴
３４ｆ　フック
３４ｇ　係止凹部
３４ｈ　横穴通路形成凹部
【図１】
2004041427.tif 000003
【図２】
2004041427.tif 000004
【図３】
2004041427.tif 000005
【図４】
2004041427.tif 000006
【図５】
2004041427.tif 000007
【図６】
2004041427.tif 000008